(57)【特許請求の範囲】
【請求項１】
水面に浮かべたフロートに、下部に重錘を取付けたカーテンを垂設してなる汚濁防止膜と、水底に敷設されたシート状物と、前記汚濁防止膜を前記シート状物の上方に位置決めする係留手段とを備えたことを特徴とする汚濁防止膜装置。
【請求項２】
シート状物の上面に、該シート状物の敷設方向と交差する方向へ延ばしたウエイトチェーンを、前記敷設方向へ所定のピッチで多数配置し、各ウエイトチェーンと前記シート状物とを相互に連結したことを特徴とする請求項１に記載の汚濁防止膜装置。
【請求項３】
各ウエイトチェーンの両端部をアンカーに連結したことを特徴とする請求項２に記載の汚濁防止膜装置。
【請求項４】
シート状物が、金網である、請求項１乃至３の何れか１項に記載の汚濁防止膜装置。
【請求項５】
金網が、ひし形金網である、請求項４に記載の汚濁防止膜装置。
【請求項６】
カーテンが、汚濁防止用膜体の両面を透水性土木シートにて被覆した三重構造となっている、請求項１乃至５の何れか１項に記載の汚濁防止膜装置。
【発明の詳細な説明】
【技術分野】
【０００１】
本発明は、浚渫、埋立等の工事に伴い発生する汚濁物質の水中での拡散を防止するための汚濁防止膜装置に関する。
【背景技術】
【０００２】
従来、この種の汚濁防止膜装置は、例えば、特許文献１や特許文献２に記載されるように、水面に浮かべたフロートに、下部に重錘（ウエイトチェーン）を取付けたカーテンを垂設してなる汚濁防止膜を備えると共に、この汚濁防止膜を係留手段（係留索、アンカー等）により所定の位置に係留する構造となっていた。
【０００３】
ところで、この種の汚濁防止膜装置は、当然に水位の低下に応じてフロートが降下し、カーテンにゆるみが生じるようになる。そして、干満の差が大きい海域では、カーテンに生じるたるみも大きくなるため、カーテンが水底の岩礁類と摩擦接触し、これが原因でカーテンに擦り切れが発生する。そこで従来は、例えば、特許文献３に記載されるように、カーテンの中間部位に中間フロートを取付け、カーテンの下部が水底地盤と摺擦（摩擦接触）しないように対策をしていた。
【特許文献１】特開平９−５９９６７号公報
【特許文献２】特開２００１−２２６９４７号公報
【特許文献３】特開平９−５３２２２号公報
【発明の開示】
【発明が解決しようとする課題】
【０００４】
しかしながら、上記した汚濁防止膜装置をリーフ（岩礁、珊瑚礁等）の上に設置した場合は、干潮時にリーフの天端が海面近くに到達するか、海面上に露出してしまうため、汚濁防止膜の全体が岩礁類と摩擦接触し、波浪の影響もあって、カーテンはもちろん、フロートにも擦り切れが発生する。すなわち、汚濁防止膜装置をリーフ上に設置する場合は、上記した中間フロートが擦り切れ対策としてほとんど役に立たず、これに代わる新たな擦り切れ対策が望まれていた。
【０００５】
本発明は、上記した従来の問題点に鑑みてなされたもので、その課題とするところは、リーフ上に設置しても汚濁防止膜が擦り切れを起こす虞れがない汚濁防止膜装置を提供することにある。
【課題を解決するための手段】
【０００６】
上記課題を解決するため、本発明は、水面に浮かべたフロートに、下部に重錘を取付けたカーテンを垂設してなる汚濁防止膜と、水底に敷設されたシート状物と、前記汚濁防止膜を前記シート状物の上方に位置決めする係留手段とを備える構成としたことを特徴とする。
このように構成した汚濁防止膜装置においては、水位の低下に応じて汚濁防止膜がシート状物の上に載るので、該汚濁防止膜が水底の岩礁類と直接摩擦接触することはなくなり、結果として汚濁防止膜の擦り切れが防止される。
【０００７】
本発明は、上記シート状物の上面に、該シート状物の敷設方向と交差する方向へ延ばしたウエイトチェーンを、前記敷設方向へ所定のピッチで多数配置し、各ウエイトチェーンと前記シート状物とを相互に連結する構成としてもよい。このように構成した場合は、ウエイトチェーンの載荷重によりシート状物が押えられるので、シート状物の敷設状態は安定する。この場合、各ウエイトチェーンの両端部をアンカーに連結するようにしてもよく、これによりシート状物の敷設状態はより一層安定する。
【０００８】
本発明において、上記シート状物の種類は任意であるが、敷設が容易でかつコスト的に安価であることから金網を用いるのが望ましい。この場合、金網としては、より形状追従性の高いひし形金網を選択するのが望ましい。
【０００９】
本発明において、上記カーテンは、膜本体の両面を透水性土木シートにて被覆した三重構造とするのが望ましい。このように三重構造とした場合は、カーテンの強度が増大するので、擦り切れに対する耐性がより一層向上する。
【発明の効果】
【００１０】
本発明に係る汚濁防止膜装置によれば、水位が低下しても汚濁防止膜が水底の岩礁類と直接摩擦接触することがなくなるので、汚濁防止膜を構成するカーテンおよびフロートが擦り切れを起こす虞れがなくなり、リーフ上でも安定して使用可能となる。
【００１１】
また、カーテンを、膜体の両面を透水性土木シートにて被覆した三重構造とした場合は、カーテン自体の強度が高まるので、擦り切れに対する耐性がより一層向上する。
【発明を実施するための最良の形態】
【００１２】
以下、本発明を実施するための最良の形態を添付図面に基づいて説明する。
【００１３】
図１および図２は、本発明の１つの実施形態としての汚濁防止膜装置の全体的構造とその設置状態とを示したものである。本汚濁防止膜装置は、海面（水面）に浮かべたフロート１に、下部にウエイトチェーン（重錘）２を取付けたカーテン３を垂設してなる汚濁防止膜４と、海底（水底）Ｇに敷設されたひし形金網（シート状物）５と、ひし形金網５を海底Ｇに固定する固定手段６と前記汚濁防止膜４をひし形金網５の上方に位置決めする係留手段７とから概略構成されている。
【００１４】
上記汚濁防止膜４は、所定のスパン（一例として、２０ｍ）単位で製作された膜ユニット１０、１０…を相互に接続してなっている。各膜ユニット１０内のフロート１は、図３および図４に示されるように、発泡スチロール製の浮体１１を合成繊維製（例えば、ポリエステルとターポリンとの二層構造）のカバー１２にて被覆してなっている。カバー１２の合せ部は、該合せ部に沿ってその両側に配置したテンションベルト１３と共に縫合されており、この縫合部には、カーテン３との接続に用いる第１の接続ベルト１４も縫い込まれている。また、フロート１の両端部には、膜ユニット１０同士の接続に用いる第２の接続ベルト１５が縫い込まれている。
【００１５】
各膜ユニット１０内のカーテン３は、図５によく示されるように、ここでは合成繊維製（例えば、ポリエステル製）の汚濁防止用膜体２０の両面を透水性土木シート２１、２１により被覆した三重構造となっている。このカーテン３を構成する膜体２０と２枚の土木シート２１とは、相互の合せ部の外周縁部に沿ってその両側に配置した補強ベルト２２、２２と共に縫合されており、この縫合部には、図６および図７にも示されるように、上記フロート１との接続に用いる第１の接続ベルト２３と、膜ユニット１０同士の接続に用いる第２の接続ベルト２４と、上記ウエイトチェーン２の取付けに用いる第３の接続ベルト２５とが縫い込まれている。なお、カーテン３の全体は、図３に示されるように、その長手方向の複数箇所（ここでは、３箇所）に縫着した縦補強ベルト２６と、その高さ方向の中間部位に縫着した横補強ベルト２７とによっても補強されている。
【００１６】
上記汚濁防止膜４において、フロート１とカーテン３とは、上記フロート１側の第１の接続ベルト１４とカーテン３側の第１の接続ベルト２３とに通し掛けした第１の連結ロープ３０によって相互に接続されている（図４）。また、各膜ユニット１０は、フロート１側の第２の接続ベルト１５同士およびカーテン３側の第２の接続ベルト２４同士に通し掛けした第２の連結ロープ３１によって接続されている（図６）。さらに、カーテン３に対するウエイトチェーン２の取付けは、カーテン３側の第３の接続ベルト２５に通した第３の連結ロープ３２によってなされている（図７）。また、各膜ユニット１０は、フロート１の両端部の上部側に縫着した補強ベルト３３同士、フロート１側のテンションベルト１３の両端部に縫着した補強ベルト３４同士、前記カーテン３に設けた横補強ベルト２７同士をそれぞれ連結具（シャックル）３５、３６、３７にて連結することによっても相互に接続されている。
【００１７】
一方、上記シート状物としてのひし形金網５は、ここでは、図８および図９にも示されるように、規定幅の複数枚（ここでは、３枚）の金網単体４０を相互に連結してなっている。より詳しくは、金網単体４０は、所定のラップ代（一例として、１００ｍｍ）で重ね合された相互のラップ部分（継目部分）４１に沿って縫い込んだ縦連結ワイヤ４２と、前記ラップ部分４１に直交して縫い込んだ多数の横連結ワイヤ４３とにより相互に連結されている。横連結ワイヤ４３は、ひし形金網５の敷設方向へ所定のピッチで配置されており、この多数の横連結ワイヤ４３の縫い込みにより、ひし形金網５は、実質一枚物に近い状態となり、継目部分４１からの折れ曲りが防止されている。
【００１８】
上記ひし形金網５を海底Ｇに固定するための固定手段６は、ひし形金網５の上面に、その敷設方向と直交する方向へ延ばしてかつ前記敷設方向へ所定のピッチで配列して載置された多数の横列ウエイトチェーン４５と、ひし形金網５の両側に配列して海底Ｇに設置され、各横列ウエイトチェーン４５の両端を繋ぐアンカー４６と、ひし形金網５の両側部に沿って載置された縦列ウエイトチェーン４７とからなっている。本実施形態において、各横列ウエートチェーン４５は上記ひし形金網５に縫い込んだ横連結ワイヤ４３に隣接して配置されており、各ウエートチェーン４５とひし形金網５との間は、前記横連結ワイヤ４３を介して相互に連結されている。また、縦列ウエイトチェーン４７とひし形金網５との間は、適宜の連結具（図示略）を用いて直接連結されている。なお、アンカー４６は、ここでは３トンアンカーとして構成されている。
【００１９】
また、上記汚濁防止膜４をひし形金網５の上方に位置決めする係留手段７は、フロート１側のテンションベルト１３に縫着された補強ベルト３４同士を連結する連結具３６（図４）に一端部が連結された係留索（アンカーロープ）４８と、前記ひし形金網５の両側に配列して海底Ｇに設置され、前記係留索４８の他端を繋ぐアンカー４９とからなっている。前記係留索４８およびアンカー４９からなる係留手段７は、汚濁防止膜４の膜ユニット１０の継目に対応して配置されており、そのアンカー４９は、上記固定手段６を構成するウエイトチェーン４５の固定用アンカー（４６）として共用されている。なお、このアンカー４９は、一例として６トンアンカーとして構成されている。
【００２０】
上記のように構成された汚濁防止膜装置を据付けるには、予め、陸上においてフロート１とカーテン３、カーテン３とウエイトチェーン２とを相互に接続してスパン単位の汚濁防止膜４（膜ユニット１０）を必要枚数準備する。また、複数の金網単体４０を縦連結ワイヤ４２および横連結ワイヤ４３により相互に連結して所定幅で所定長のひし形金網５を必要枚数準備する。そして先ず、台船上または沿岸上からのクレーン操作で、前記ひし形金網５を吊上げ、これを海底Ｇに敷設する。この時、ひし形金網５は、縦連結ワイヤ４２および横連結ワイヤ４３による連結で一枚物に近い状態となっており、その展開状態を維持しながら円滑に海底に沈降する。また、ひし形金網５は、例えば、亀甲金網に比べて剛性が小さく、形状追従性が良好となっているで、海底Ｇの不陸に倣って敷設される。なお、この時、必要に応じて前記サブアセンブリ体同士を連結して、ひし形金網５の敷設長さを延長する。次に、海底Ｇに敷設したひし形金網５に、水中作業により横列ウエイトチェーン４５、縦列ウエイトチェーン４７を取付ける。
【００２１】
次に、上記海底Ｇに敷設したひし形金網５の両側に必要数のアンカー４６（４９）を順次設置し、水中作業で各アンカー４６（４９）に、ひし形金網５上の横ウエイトチェーン４５の両端を連結して、ひし形金網５を海底Ｇに位置固定する。次に、上記と同様のクレーン操作で、前記汚濁防止膜４を海中に吊り降ろし、この時、必要に応じて膜ユニット１０同士を連結して設置長さを延長する。その後、膜ユニット１０の両端部の連結具３６（図４）に一端部を連結させた係留索４８の他端を対応するアンカー４９に連結し、汚濁防止膜４を、前記ひし形金網５の中心線に沿うように係留し（位置固定し）、これにて汚濁防止膜装置の据付けは完了する。
【００２２】
上記のように据付けられた汚濁防止膜装置は、潮位（水位）の低下に応じてフロート１が降下すると、カーテン３に次第にたるみが生じ、波浪の影響で該カーテン３が揺動する。しかし、汚濁防止膜４下にひし形金網５が存在することから、前記カーテン３は、海底の岩礁類と直接摩擦接触することなくひし形金網５上を滑動し、これによりカーテン３の擦り切れが防止される。一方、海底Ｇがリーフの天端である場合、干潮時に海底Ｇの岩礁類が海面近くに到達するか、海面上に露出する状態となるが、この状態では、カーテン３およびフロート１を含む汚濁防止膜４の全体がひし形金網５上に載り、これにより、汚濁防止膜が水底の岩礁類と直接摩擦接触することはなく、結果としてカーテン３およびフロート１の擦り切れが防止される。
【図面の簡単な説明】
【００２３】
【図１】本発明の１つの実施形態としての汚濁防止膜装置の全体的構造と設置状態とを模式的に示す斜視図である。
【図２】本汚濁防止膜装置の全体的構造と設置状態とを示す正面図である。
【図３】本汚濁防止膜装置を構成する汚濁防止膜の全体的構造を示す側面図である。
【図４】本汚濁防止膜を構成するフロートとカーテンとの接続構造並びに汚濁防止膜（膜ユニット）同士の連結構造を示す斜視図である。
【図５】本汚濁防止膜を構成するカーテンの断面構造を示す模式図である。
【図６】汚濁防止膜（膜ユニット）を構成するカーテン同士の接続構造を示す側面図である。
【図７】本汚濁防止膜を構成するカーテンとウエイトチェーン（重錘）との接続構造を示す側面図である。
【図８】本汚濁防止膜装置を構成するひし形金網（シート状物）とひし形金網を海底に固定する固定手段とを示す平面図である。
【図９】本汚濁防止膜装置を構成するひし形金網の一体化構造を示す断面図である。
【符号の説明】
【００２４】
１    フロート
２    ウエイトチェーン（重錘）
３    カーテン
４    汚濁防止膜
５    ひし形金網（シート状物）
６    ひし形金網の固定手段
７    汚濁防止膜の係留手段
２０  膜体
２１  土木シート
４２  縦連結ワイヤ
４３  横連結ワイヤ
４５  ウエイトチェーン
４６  アンカー
４８  係留索
４９  係留用アンカー
【図１】
0004605461.tif 000002
【図２】
0004605461.tif 000003
【図３】
0004605461.tif 000004
【図４】
0004605461.tif 000005
【図５】
0004605461.tif 000006
【図６】
0004605461.tif 000007
【図７】
0004605461.tif 000008
【図８】
0004605461.tif 000009
【図９】
0004605461.tif 000010